(57)【要約】【課題】往信時及び返信時に隠蔽情報を被覆隠蔽した状態で通知でき、情報の印字動作も円滑、確実な往復隠蔽葉書を得るための往復隠蔽葉書用シートを提供する。【課題の解決手段】往復隠蔽葉書用シート１は、往信葉書片２と隠蔽ラベル形成片３と返信葉書片４とを折り部５，６を介して連接し、各片２，３，４の重ね合わせ面には剥離可能な接着剤層１０を設け、隠蔽ラベル形成片３には隠蔽ラベル７を切り用ミシン目８で区画形成して、その往信葉書片２との重ね合わせ面には剥離可能で再粘着、再剥離可能な粘着剤層９を設け、往信葉書片２の表出面には往信宛名表示領域を設ける一方、重ね合わせ面には隠蔽ラベル７に対応する部分に剥離剤層１３を設け、返信葉書片４の表出面には隠蔽ラベル７で被覆する隠蔽情報表示領域を設け、その重ね合わせ面には返信宛名表示領域を設ける。【選択図】　　図３
2004122666.tif 000002
【特許請求の範囲】
【請求項１】
往信葉書片と隠蔽ラベル形成片と返信葉書片とを折り部を介して連接するとともに、少なくとも前記返信葉書片は切り離し可能となし、前記往信葉書片と前記隠蔽ラベル形成片との重ね合わせ面及び前記隠蔽ラベル形成片と前記返信葉書片との重ね合わせ面には剥離可能な接着剤層を設け、前記往信葉書片の表出面には往信宛名表示領域を設ける一方、その重ね合わせ面には隠蔽情報表示領域を設け、前記隠蔽ラベル形成片には隠蔽ラベルを切り用ミシン目で区画形成するとともに、この隠蔽ラベルの一面には剥離可能で再粘着、再剥離可能な粘着剤層を設け、前記返信葉書片の表出面と重ね合わせ面の適所には、返信宛名表示領域と前記隠蔽ラベルで被覆する隠蔽情報表示領域とを設けたことを特徴とする往復隠蔽葉書用シート。
【請求項２】
往信葉書片と隠蔽ラベル形成片と返信葉書片とを折り部を介して連接するとともに、少なくとも前記返信葉書片は切り離し可能となし、前記往信葉書片と前記隠蔽ラベル形成片との重ね合わせ面及び前記隠蔽ラベル形成片と前記返信葉書片との重ね合わせ面には剥離可能な接着剤層を設け、前記隠蔽ラベル形成片には隠蔽ラベルを切り用ミシン目で区画形成するとともに、この隠蔽ラベルの前記往信葉書片との重ね合わせ面には剥離可能で再粘着、再剥離可能な粘着剤層を設け、前記往信葉書片の表出面には往信宛名表示領域を設ける一方、その重ね合わせ面には隠蔽情報表示領域と前記隠蔽ラベルに対応する部分に剥離剤層を設け、前記返信葉書片の表出面には前記隠蔽ラベルで被覆する隠蔽情報表示領域を設け、その重ね合わせ面には返信宛名表示領域を設けたことを特徴とする往復隠蔽葉書用シート。
【発明の詳細な説明】
【０００１】
【発明の属する技術分野】
本発明は、往信時及び返信時に他人には知られたくない隠蔽情報を隠蔽した状態で伝達する往復隠蔽葉書を作成するための往復隠蔽葉書用シートに関する。
【０００２】
【従来の技術】
従来から、往信時及び返信時に隠蔽情報を隠蔽した状態で伝達する往復隠蔽葉書は知られており、往信時には二枚の紙片を剥離可能に接着してなる往信葉書の重ね合わせ面に隠蔽情報を表示したり、往信葉書の表出面に表示した隠蔽情報を隠蔽ラベルで被覆隠蔽し、返信時には返信葉書の隠蔽情報を隠蔽ラベルで被覆して隠蔽するよう構成している。そして、隠蔽ラベルは、葉書面の適所（往信時に隠蔽情報を被覆して隠蔽する場合には隠蔽情報表示部分）に剥離可能、かつ再粘着、再剥離可能に接着しているのものである（例えば、特許文献１，２参照）。
【０００３】
【特許文献１】
特開２００１−８８４７２号公報（図１，図２）
【特許文献２】
特開平１１−１０８０号公報（図１）
【０００４】
【発明が解決しようとする課題】
このため、従来においては、隠蔽ラベルが葉書面から突出した状態となるので、葉書面に段差を生じ、この段差によってプリンタで印字する場合の移送適性に劣り、円滑で確実な印字動作を阻害するという不都合があった。本発明はこの不都合を解消した往復隠蔽葉書を作成するための押於福隠蔽葉書用シートを提供することを目的とする。
【０００５】
【課題を解決するための手段】
この目的を達成するため、本発明の請求項１に係る往復隠蔽葉書用シートは、往信葉書片と隠蔽ラベル形成片と返信葉書片とを折り部を介して連接するとともに、少なくとも前記返信葉書片は切り離し可能となし、前記往信葉書片と前記隠蔽ラベル形成片との重ね合わせ面及び前記隠蔽ラベル形成片と前記返信葉書片との重ね合わせ面には、圧等の一定条件を与えると接着可能となり、接着後に剥離可能な接着剤層を設け、前記往信葉書片の表出面には往信宛名表示領域を設ける一方、その重ね合わせ面には隠蔽情報表示領域を設け、前記隠蔽ラベル形成片には隠蔽ラベルを切り用ミシン目で区画形成するとともに、この隠蔽ラベルの一面には剥離可能で再粘着、再剥離可能な粘着剤層を設け、前記返信葉書片の表出面と重ね合わせ面の適所には、返信宛名表示領域と前記隠蔽ラベルで被覆する隠蔽情報表示領域を設けたものである。
【０００６】
同じく上記目的を達成するために、本発明の請求項２に係る往復隠蔽葉書用シートは、往信葉書片と隠蔽ラベル形成片と返信葉書片とを折り部を介して連接するとともに、少なくとも前記返信葉書片は切り離し可能となし、前記往信葉書片と前記隠蔽ラベル形成片との重ね合わせ面及び前記隠蔽ラベル形成片と前記返信葉書片との重ね合わせ面には、圧等の一定条件を与えると接着可能となり、接着後に剥離可能な接着剤層を設け、前記隠蔽ラベル形成片には隠蔽ラベルを切り用ミシン目で区画形成するとともに、この隠蔽ラベルの前記往信葉書片との重ね合わせ面には剥離可能で再粘着、再剥離可能な粘着剤層を設け、前記往信葉書紙片の表出面には往信宛名表示領域を設ける一方、その重ね合わせ面には隠蔽情報表示領域と前記隠蔽ラベルに対応する部分に剥離剤層を設け、前記返信葉書片の表出面には前記隠蔽ラベルで被覆する隠蔽情報表示領域を設け、その重ね合わせ面には返信宛名表示領域を設けたものである。
【０００７】
【発明の実施の形態】
以下、本発明の好適な実施形態を添付図面に基づいて詳細に説明する。ここにおいて、図１は往復隠蔽葉書用シートの隠蔽情報表示面側を示す平面図、図２は同じく宛名情報表示面側を示す平面図、図３は図１のＡ−Ａ線断面図、図４は往復隠蔽葉書を示す断面図、図５は隠蔽ラベルで隠蔽情報を被覆した状態を示す返信隠蔽葉書の平面図、図６は隠蔽ラベルを剥離して隠蔽情報を露出した状態を示す返信隠蔽葉書の平面図である。
【０００８】
図１〜図３に示すように、往復隠蔽葉書用シート１は、往信葉書片２と隠蔽ラベル形成片３と返信葉書片４とを、折り部たる折り用ミシン目５と折り兼切り用ミシン目６を介して連接してなる。前記往信葉書片２と前記隠蔽ラベル形成片３の図１に示す面が、折り用ミシン目５で折り重ねられる重ね合わせ面であり、また、前記隠蔽ラベル形成片３と前記返信葉書片４の図２に示す面が、折り兼切り用ミシン目６で折り重ねられる重ね合わせ面である。
【０００９】
隠蔽ラベル形成片３には隠蔽ラベル７を切り用ミシン目８で区画形成するとともに、この隠蔽ラベル７の往信葉書片２との重ね合わせ面には貼着後に剥離可能で、再粘着、再剥離可能な粘着剤層９を設けている。この粘着剤層９を構成する粘着剤は、前記切り用ミシン目８を破断して分離した隠蔽ラベル７を、後述する返信葉書片４に設けた隠蔽情報表示領域に粘着可能で、粘着後に剥離可能であり、前記返信葉書片４を折り兼切り用ミシン目６から切り離してなる後述の返信隠蔽葉書４ａ（図５及び図６参照）の郵送作業時には剥離することがない程度の粘着力を有するものである。
【００１０】
図３に示すように、前記往信葉書片２と前記隠蔽ラベル形成片３との重ね合わせ面及び前記隠蔽ラベル形成片３と前記返信葉書片４との重ね合わせ面には、一定以上の圧を加えると接着可能となり、接着後に剥離可能な接着剤層１０を、隠蔽ラベル７の粘着剤層９部分を除いて設けている。前記接着剤層１０は、通常では接着せず所定の圧を加えると接着可能となり、接着後に剥離可能で、印字、印刷が可能な感圧性接着剤からなる。この感圧性接着剤としては、印字、印刷が可能で一旦接着すると剥離困難な非剥離性接着剤基剤に、この接着剤基剤に対して非親和性を示す微粒状充てん剤を配合したものが好適である。
【００１１】
上述の接着剤基剤としては、公知の感圧性接着剤を用いればよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。一方、上述の微粒状充てん剤としては、前記接着剤基剤との親和性が小さいもの、例えば、酸化亜鉛、酸化チタン、炭酸カルシュウム、カオリン、活性白土、球状アルミナ、小麦デンプン、シリカ、ガラス粉末、シラスバルーン等がある。これらの材料は、単独でも、複数組み合わせてもよいが、特に、シリカと他の適宜な充てん剤との組み合わせが好適である。
【００１２】
図２に示すように、往信葉書片２の表出面は、そのほぼ全域を往信宛名表示領域として、ここに往信宛名情報１１を設ける一方、図１に示すように、その重ね合わせ面は、そのほぼ上側半分を隠蔽情報表示領域として、「残高確認通知」という表題とともに、隠蔽情報たる残高確認情報１２を印字する。また、図３に示すように、前記往信葉書片２の重ね合わせ面におけるほぼ下側半分には、隠蔽ラベル７に対応して粘着剤層９と重なる部分に剥離剤層１３を設けている。
【００１３】
図１に示すように、返信葉書片４の表出面には、上部に「確認書」なる表題と確認日付記入欄１４を印字し、下部に返信時に隠蔽ラベル７で被覆する隠蔽情報表示領域を設けて、隠蔽緒情報たる残高記入欄１５と記名捺印欄１６を印字する。また、図２に示すように、前記返信葉書片４の重ね合わせ面は、そのほぼ全面を返信宛名表示領域として、返信宛名情報１７を印字する。さらに、図１に示すように、隠蔽ラベル片３の往信葉書片２との重ね合わせ面には、隠蔽ラベル７の使用方法を説明する説明文１８を印字する。
【００１４】
なお、上述の各表示領域には当初は何も印字されておらず、往復隠蔽葉書用シート１は白紙状態にあるものである。そして、各情報を印字するに際しては、往復隠蔽葉書用シート１に段差がないので、プリンタでの印字事における移送が円滑になされ、確実な印字動作を行うことができる。
【００１５】
続いて、図１〜図３に示す上述の往復隠蔽葉書用シート１から、図４に示す隠蔽葉書２１を作成する手順を説明する。折り用ミシン目５で往信葉書片２と隠蔽ラベル形成片３の重ね合わせ面同士を対接するように二つ折りし、折り兼切り用ミシン目６で返信葉書片４と隠蔽ラベル形成片３の重ね合わせ面同士を対接するように二つ折りして、Ｚ字状に折り重ねる。そして、接着剤層１０の接着条件である所定の圧を加えることで、図４に示すように、重ね合わせ面を剥離可能に接着した往復隠蔽葉書２１を得ることができる。この状態で、隠蔽ラベル７の粘着剤層９は剥離剤層１３と対接し、各重ね合わせ面に表示した残高確認情報１２、説明文１８、返信宛名情報１７及び隠蔽ラベル７は外部からは視認できない隠蔽状態となり、往信宛名情報１１が表出した往復隠蔽葉書２１は、通常の葉書と同様に投函可能となる。
【００１６】
この往復隠蔽葉書２１を受領した宛名人は、往信葉書片２と返信葉書片４をそれぞれ隠蔽ラベル形成片３から捲り上げて離反すると、各重ね合わせ面が剥離し、重ね合わせ面に表示されていた残高確認情報１２、説明文１８、返信宛名情報１７及び隠蔽ラベル７が露出する（図１、図２参照）。ここで、返信葉書片４を折り兼切り用ミシン目５から切り取って返信隠蔽葉書４ａとし、残高確認情報１２が正しいことを自己の控えと対照して確認したうえ、確認日付記入欄１４と支払残高記入欄１５と氏名捺印欄１６とに、それぞれ確認日付情報２２と支払残高情報２３と氏名捺印情報２４を記入する。
【００１７】
次いで、切り用ミシン目８を破断して隠蔽ラベル７を分離し、支払残高情報２３と氏名捺印情報２４とを被覆するようにして、隠蔽ラベル７を粘着剤層９で返信隠蔽葉書４ａに粘着する。これによって、図５に示すように、前記各情報２３，２４が前記隠蔽ラベルで被覆隠蔽され外部から視認不可能な状態となった返信隠蔽葉書４ａを得ることができ、この返信隠蔽葉書４ａは通常の葉書と同様に投函可能である。この返信隠蔽葉書４ａを受領した往復隠蔽葉書２１の差出人は、隠蔽ラベル７を捲り上げて剥離し、図６に示すように、支払残高情報２３と氏名捺印情報２４とを視認することができる。
【００１８】
なお、本発明は、上述した実施形態に限定されるものではなく、例えば、接着剤層１０と粘着剤層９を構成する接着剤や粘着剤の構成物質によっては、剥離剤層１３は必ずしも必要ではない。また、粘着剤層９を返信葉書片４との重ね合わせ面側に設けてもよい。さらに、隠蔽情報としては残高確認情報１２や支払残高情報２３及び氏名捺印情報２４に限らない。さらにまた、返信葉書片４の隠蔽情報記載領域を重ね合わせ面側に設けることも可能であるが、この場合には前記領域に印字、手書き記入が可能なように、前記領域部分が印字適性や筆記適性を有している必要がある。またさらに、各重ね合わせ面に設ける剥離可能な接着剤層１０も、上述した感圧性接着剤を利用するものに限らない。
【００１９】
【発明の効果】
以上説明したところで明らかなように、本願の請求項１に係る発明によれば、往復隠蔽葉書用シートに段差がないので、隠蔽情報等、各種情報の印字動作を円滑、かつ確実に行うことができるとともに、各重ね合わせ面の接着も確実になされるという効果を奏する。
【００２０】
また、本願の請求項２に係る発明によれば、往復隠蔽葉書用シートに段差がないので、隠蔽情報等、各種情報の印字動作を円滑、かつ確実に行うことができるとともに、各重ね合わせ面の接着も確実になされ、また、返信葉書片の隠蔽情報表示領域が表出面側にあるので、重ね合わせ面に設ける接着剤層の影響を受けずにより確実な印字動作を保証できるという効果を奏する。
【図面の簡単な説明】
【図１】往復隠蔽葉書用シートの隠蔽情報表示面側を示す平面図。
【図２】同じく宛名情報表示面側を示す平面図。
【図３】図１のＡ−Ａ線断面図。
【図４】往復隠蔽葉書を示す断面図。
【図５】隠蔽ラベルで隠蔽情報を被覆した状態を示す返信隠蔽葉書の平面図。
【図６】隠蔽ラベルを剥離して隠蔽情報を露出した状態を示す返信隠蔽葉書の平面図。
【符号の説明】
１　　　往復隠蔽葉書用シート
２　　　往信葉書片
３　　　隠蔽ラベル形成片
４　　　返信葉書片
４ａ　　隠蔽返信葉書
５　　　折り用ミシン目
６　　　折り兼切り用ミシン目
７　　　隠蔽ラベル
８　　　切り用ミシン目
９　　　粘着剤層
１０　　　接着剤層
１１　　　往信宛名情報
１２　　　残高確認情報
１３　　　剥離剤層
１５　　　支払残高記入欄
１６　　　氏名捺印欄
１７　　　返信宛名情報
２１　　　往復隠蔽葉書
２３　　　支払残高情報
２４　　　氏名捺印情報
４ａ　　　返信隠蔽葉書
【図１】
2004122666.tif 000003
【図２】
2004122666.tif 000004
【図３】
2004122666.tif 000005
【図４】
2004122666.tif 000006
【図５】
2004122666.tif 000007
【図６】
2004122666.tif 000008